(57)【特許請求の範囲】
【請求項１】
データ読み出し部を含むメカ部の底面と外枠カバーの底面との間に設けられた第１の防振構造と、前記メカ部の側面と前記外枠カバーの側面との間に設けられた第２の防振構造とを有するディスク駆動装置において、
前記第２の防振構造は前記メカ部の左右両側面に固定され、
前記ディスク駆動装置が水平に置かれる場合、前記メカ部は前記第１の防振構造により支持され、更に前記第２の防振構造は前記外枠カバーの左右両側面の内側の面との間に所定の隙間をもち、
前記ディスク駆動装置が垂直に置かれる場合は、前記第２の防振構造は前記外枠カバーの左右両側面の内側の面と当接可能とし、前記メカ部は前記第１の防振構造のみならず前記第２の防振構造によっても支持される構成とすることを特徴とするディスク駆動装置。
【請求項２】
請求項１において、前記第２の防振構造を前記メカ部の重心位置を中心にして水平方向および垂直方向それぞれに略等間隔に構成するディスク駆動装置。
【請求項３】
請求項１において、前記第２の防振構造を前記メカ部の重心位置を中心にして水平方向および垂直方向それぞれに略等間隔に４ヶ所以上に構成するディスク駆動装置。
【請求項４】
請求項１において、前記第２の防振構造は前記外枠カバーの左右両側面の内側の面に固定され、
前記ディスク駆動装置が水平に置かれる場合、前記メカ部は前記第１の防振構造により支持され、更に前記第２の防振構造は前記メカ部の左右両側面との間に所定の隙間をもち、
前記ディスク駆動装置が垂直に置かれる場合は、前記第２の防振構造は前記メカ部の左右両側面と当接可能とし、前記メカ部は前記第１の防振構造のみならず前記第２の防振構造によっても支持される構成とすることを特徴とするディスク駆動装置。
【発明の詳細な説明】
【０００１】
【発明の属する技術分野】
本発明は光ディスク等を使用するディスク駆動装置に係り、特に、水平および垂直両姿勢におけるメカ部分の姿勢安定保持と最適防振構造を有するディスク駆動装置に関する。
【０００２】
【従来の技術】
ＣＤ（コンパクトディスク）等のディスクを使用してデータ読み出しを行なうディスク駆動装置では、ディスクに設けられた数μｍの凹凸を光学的に走査してデータに変換している。このディスク駆動装置に外部から振動が加わると、データ読み出し部が凹凸に追従できず、データ読み出しが不良となってしまう。また重心の偏ったディスク（以下、偏重心ディスクと略す）を回転させた場合に発生する振動がディスク駆動装置外部へ伝わり、例えば、装置をパソコンに組込んだ場合に他の機器の性能に影響を及ぼしてしまう。このため装置筐体とデータ読み出し部との間に防振機構を設け、外部の振動がデータ読み出し部に伝わりにくくしたり、装置内部で発生する振動が外部に伝わりにくくする必要があった。このディスク駆動装置の防振機構として、例えば、特開平３−２９０８９２号公報が開示されている。この発明では、ディスク再生機構部の底板と外枠部の底板との間に、ディスク再生機構部と外枠部とを弾性的に連結する第１の防振部材と、ディスク再生機構部の側面に取付けられた第２の防振部材と、この第２の防振部材および外枠部の一方の側面のいずれか一方に設けられる摩擦係数の低い平板状部材と、第２の防振部材および外枠部の一方の側面の他方に設けられ、平板部材に略点接触される接触部材とを備えるように構成している。この構成により外枠部が垂直姿勢になった場合でも、第２の防振部材によってディスク再生機構部の自重を支持することができる。また平板部材と接触部材とを略点接触させるようにしたので、外枠部に加えられる外部振動がほとんどディスク再生機構部に伝達されず、良好な防振効果を得ることができる。さらにディスク再生機構部は第２の防振部材によって両側面から支持されているため、外部から加えられる大きな衝撃に対しても安全に保護され、装置の搬送にともなう信頼性を向上させることができる。
【０００３】
【発明が解決しようとする課題】
上記従来技術は、ディスク再生機構部の底面と外枠部の底面、およびディスク再生機構部の側面と外枠部の側面に防振部材を設けたので、特に装置が垂直姿勢になった場合の防振に有効であった。
【０００４】
しかし側面に構成される防振機構は装置が水平姿勢でもディスク再生機構部と外枠部とを連結しており、装置全体ではディスク再生機構部と外枠部との接触部分が多くなり、外部から内部へ、あるいは内部から外部へ振動が伝わりやすくなり、ディスク再生に悪影響を及ぼすという問題点があった。
【０００５】
また側面に構成される防振機構は略点接触で支持するため、装置を垂直姿勢にした場合、ディスク再生機構部の自重で下方に変位すると同時にディスク再生機構部の重心位置における鉛直方向延長上に点接触する位置が設定されていないとディスク再生機構部に傾きが発生して支持されてしまう。このためにディスク再生機構部と外枠部との間に十分なクリアランスがない場合、外部からの振動や偏重心ディスクを回転させた時に発生する振動によりディスク再生機構部の一部が外枠部と干渉、衝突が発生し、ディスク再生に悪影響を及ぼす振動が新たに発生するという問題点があった。
【０００６】
本発明の目的は、装置を垂直姿勢にした場合でもデータ読み出し部を含むメカ部の姿勢を安定化させるとともに防振効果の優れたディスク駆動装置を提供することにある。
【０００７】
【課題を解決するための手段】
上記目的を達成するために、本発明は、データ読み出し部を含むメカ部の底面と外枠カバーの底面との間に第１の防振構造を設け、メカ部の左右両側面と外枠カバーの左右両側面との間に、メカ部あるいは外枠カバーのいづれかに固定された第２の防振構造を設ける。また第２の防振構造において、装置が水平姿勢では、偏重心ディスクを回転させた場合、あるいは外部からの振動が伝わった場合でも第２の防振構造と、メカ部あるいは外枠カバーのいづれかと接触しないだけの隙間をもって構成する。さらに第２の防振構造をメカ部の重心位置を中心にして水平方向、垂直方向それぞれに略等間隔に４ヶ所以上に配置する。
【０００８】
【発明の実施の形態】
以下、本発明の実施例を図面によって説明する。
【０００９】
図１は本発明によるディスク駆動装置の第１の実施例を示す装置を水平姿勢で正面から見た場合の断面図であって、１０１は図示しないデータ読み出し部を含むメカ部、２０１は外枠カバー、２０１ａは外枠カバー右側面、２０１ｂは外枠カバー左側面、２０１ｃは外枠カバー底面、３０１はディスクローディング部、４０１はボトムダンパ、５０１ａは右サイドダンパ、５０１ｂは左サイドダンパ、６０１はフロントパネル開閉部、である。
【００１０】
ディスクローディング部３０１はメカ部１０１に組込まれている。またフロントパネル開閉部６０１はディスクローディング部３０１の幅および高さよりも大きめに設定されている。この構成により、メカ部１０１が上下左右に変位した場合でも、ディスクローディング部３０１がフロントパネル開閉部６０１と接触することはなく、安定してディスクの出し入れが可能となる。メカ部１０１の底面と外枠カバー底面２０１ｃとの間にはボトムダンパ４０１が設けられている。右サイドダンパ５０１ａおよび左サイドダンパ５０１ｂはそれぞれメカ部１０１の右および左の側面に固定、設置されている。右サイドダンパ５０１ａおよび左サイドダンパ５０１ｂはディスク駆動装置が水平姿勢では、外部から振動が加わった場合や偏重心ディスクを装置の最大回転数で回転させた場合でも、外枠カバー２０１とは接触しない構造となっている。即ち、右サイドダンパ５０１ａと外枠カバー右側面２０１ａ、左サイドダンパ５０１ｂと外枠カバー左側面２０１ｂは一定の間隔ｍを持って設けられており、メカ部１０１はボトムダンパ４０１でのみ支持される。
【００１１】
以上の構成により、ディスク駆動装置が水平姿勢では右サイドダンパ５０１ａおよび左サイドダンパ５０１ｂを含むメカ部１０１は外枠カバー２０１とは接触せず、ボトムダンパ４０１が内部から外部へ、あるいは外部から内部への振動伝達抑制の役目を果たしている。
【００１２】
次にディスク駆動装置を垂直姿勢にした場合の、各部材の構成について説明する。
【００１３】
図２は、図１に示した第１の実施例のディスク駆動装置を外枠カバー右側面２０１ａを床面に接しての垂直姿勢で正面から見た場合の断面図である。
【００１４】
ディスク駆動装置を垂直姿勢にした場合、メカ部１０１の重量でボトムダンパ４０１が変形し、メカ部１０１は下方に変位する。この時、右サイドダンパ５０１ａは外枠カバー右側面２０１ａと接触し、圧縮状態となる。即ち、メカ部１０１はボトムダンパ４０１と右サイドダンパ５０１ａとで支持される。
【００１５】
以上の構成では、ディスク駆動装置が水平姿勢とは異なり、ボトムダンパ４０１が変形しているため、内部から外部へ、あるいは外部から内部への振動伝達抑制の効果が低下してしまっている。これを補うかたちで右サイドダンパ５０１ａが振動伝達抑制の役目を果たしている。これにより、ボトムダンパ４０１と右サイドダンパ５０１ａの両方で内部から外部へ、あるいは外部から内部への振動伝達を抑制している。またボトムダンパ４０１は、垂直姿勢になりメカ部１０１の重心位置が高くなることにより、メカ部１０１が不安定な状態になって外部から振動が加わった場合や偏重心ディスクを回転させた場合にメカ部１０１の上面と外枠カバー２０１の上面とが接触するのを防いでいる。
【００１６】
次に右サイドダンパ５０１ａの配置について説明する。
【００１７】
図３は、図１に示した第１の実施例のディスク駆動装置を水平姿勢で右側面から見た場合の断面図である。また、Ｇはメカ部１０１の重心位置を示している。
【００１８】
右サイドダンパ５０１ａはメカ部１０１の重心位置Ｇに対して、水平方向および垂直方向にそれぞれｈ、ｖの距離をもって略等間隔に配置されている。本実施例では４ヶ所に配置したが、４ヶ所以上に配置しても良い。
【００１９】
以上の構成により、装置を垂直姿勢にした場合にメカ部１０１は、メカ部１０１の重心位置Ｇと右サイドダンパ５０１ａの配置とにより姿勢を安定して保持され、さらにボトムダンパ４０１により外部からの振動に対してもメカ部１０１と外枠カバー２０１とが接触することはない。また偏重心ディスクを回転させた場合にも同様にメカ部１０１と外枠カバー２０１とが接触することはなく、データ読み出しを確実に行うことができる。
【００２０】
なお、外枠カバー左側面２０１ｂを床面に接しての垂直姿勢における左サイドダンパ５０１ｂについても右サイドダンパ５０１ａの構成、効果と同様のため、ここではその説明を省略する。
【００２１】
図４は本発明によるディスク駆動装置の第２の実施例を示す装置を水平姿勢で正面から見た場合の断面図であって、７０１ａは右サイドダンパ、７０１ｂは左サイドダンパ、である。
【００２２】
ディスクローディング部３０１はメカ部１０１に組込まれている。またフロントパネル開閉部６０１はディスクローディング部３０１の幅および高さよりも大きめに設定されている。この構成により、メカ部１０１が上下左右に変位した場合でも、ディスクローディング部３０１がフロントパネル開閉部６０１と接触することはなく、安定してディスクの出し入れが可能となる。メカ部１０１の底面と外枠カバー底面２０１ｃとの間にはボトムダンパ４０１が設けられている。右サイドダンパ７０１ａおよび左サイドダンパ７０１ｂはそれぞれ外枠カバー右側面２０１ａおよび外枠カバー左側面２０１ｂの内側に固定、設置されている。右サイドダンパ７０１ａおよび左サイドダンパ７０１ｂはディスク駆動装置が水平姿勢では、外部から振動が加わった場合や偏重心ディスクを装置の最大回転数で回転させた場合でも、メカ部１０１とは接触しない構造となっている。即ち、右サイドダンパ７０１ａとメカ部１０１の右側面、左サイドダンパ７０１ｂとメカ部１０１の左側面は一定の間隔ｎを持って設けられており、メカ部１０１はボトムダンパ４０１でのみ支持される。
【００２３】
以上の構成により、ディスク駆動装置が水平姿勢では右サイドダンパ７０１ａおよび左サイドダンパ７０１ｂを含む外枠カバー２０１はメカ部１０１とは接触せず、ボトムダンパ４０１が内部から外部へ、あるいは外部から内部への振動伝達抑制の役目を果たしている。以下、右サイドダンパ７０１ａおよび左サイドダンパ７０１ｂの構成や装置を垂直姿勢にした場合の効果については第１の実施例で示した構成、効果と同様のため、ここではその説明を省略する。
【００２４】
【発明の効果】
本発明によれば以下の効果がある。すなわち、データ読み出し部を含むメカ部の底面と外枠カバーの底面との間にボトムダンパを設けるとともに、メカ部の左右両側面と外枠カバーの左右両側面の内側との間に隙間をもってサイドダンパを設け、水平姿勢においてはボトムダンパのみでメカ部を支持する構成としたので、外部からの振動はボトムダンパにより防振され、データを確実に読み出すことができ、また偏重心ディスクを回転させてもサイドダンパと外枠カバーとは接触せず、装置内部から外部への振動伝達も抑制される。
【００２５】
また、サイドダンパをメカ部の重心位置を中心にして水平方向および垂直方向それぞれに略等間隔で４ヶ所以上に配置したので、垂直姿勢にした場合にもメカ部を安定に保持するとともに、外部から振動が加わった場合や偏重心ディスクを回転させた場合にもボトムダンパによりメカ部上面が外枠カバー上面と接触するのを防ぎ、データを確実に読み出すことができる。
【図面の簡単な説明】
【図１】本発明の第１の実施例としてのディスク駆動装置を示す断面図。
【図２】ディスク駆動装置の垂直姿勢での断面図。
【図３】ディスク駆動装置の水平姿勢での右側面から見た場合の断面図。
【図４】本発明の第２の実施例としてのディスク駆動装置を示す断面図。
【符号の説明】
１０１…メカ部、
２０１…外枠カバー、
３０１…ディスクローディング部、
４０１…ボトムダンパ、
５０１ａ…右サイドダンパ、
５０１ｂ…左サイドダンパ、
６０１…フロントパネル開閉部。
【図１】
0003551686.tif 000002
【図２】
0003551686.tif 000003
【図３】
0003551686.tif 000004
【図４】
0003551686.tif 000005